(57)【要約】【課題】  本発明は十分な振動騒音低減を達成することができ、取付け容易な防振支持部材を備えた室外機を提供する。【解決手段】  冷媒を圧縮する圧縮機構部と、該圧縮機構部を駆動する駆動部とを有する圧縮機を内部に備えた空気調和機の室外機において、前記圧縮機の下部を支持する振動防止部材を複数個備え、そのうち一つが前記圧縮機の回転軸に対応する位置に配置され、その他の前記振動防止部材は前記圧縮機の回転軸の外周側に対応する位置に配置される。【選択図】図２
2015203517.tif 000002
【特許請求の範囲】
【請求項１】
冷媒を圧縮する圧縮機構部と、該圧縮機構部を駆動する駆動部とを有する圧縮機を内部に備えた空気調和機の室外機において、
前記圧縮機の下部を支持する振動防止部材を複数個備え、そのうち一つが前記圧縮機の回転軸に対応する位置に配置され、その他の前記振動防止部材は前記圧縮機の回転軸の外周側に対応する位置に配置される
ことを特徴とする空気調和機の室外機。
【請求項２】
請求項１に記載の空気調和機の室外機において、
底部に取付けられ、上側に突出する上側突出部を有する底面ベースを備え、
前記回転軸の外周側に対応する位置に配置された前記振動防止部材は、前記上側突出部が差し込まれる穴が形成され、該穴に前記底面ベースの前記上側突出部が挿入されることで前記圧縮機が支持されるとともに、
前記圧縮機の底部には下側に突出する下側突出部を設け、前記回転軸に対応する位置に配置された前記振動防止部材には、この下側突出部が差し込まれる穴が形成され、該穴に前記圧縮機の前記下側突出部が挿入されることで前記圧縮機が支持される
ことを特徴とする空気調和機の室外機。
【請求項３】
請求項１に記載の空気調和機の室外機において、
前記圧縮機の前記回転軸に対応する位置に配置される前記振動防止部材は、上下方向の一部において外径が小さい部位を有し、該外形が小さい部位が前記底面ベースに開けた穴に挿入されることで当該振動防止部材が前記底面ベースに固定される  
ことを特徴とする空気調和機の室外機。
【請求項４】
請求項１に記載の空気調和機の室外機において、
外周側の少なくとも一面はねじ等の取り外しによって開閉可能に構成され、前記回転軸の外周側に対応する位置に配置される前記振動防止部材は、開閉可能に構成された室外機の一面側に位置する
ことを特徴とする空気調和機の室外機。
【発明の詳細な説明】
【技術分野】
【０００１】
本発明は、空調運転時に圧縮機が発生する振動を受ける支持構造を有する空気調和機の室外機に関する。
【背景技術】
【０００２】
空気調和機の室外機の圧縮機の振動伝播による騒音増大を防止するために、従来から種々の手段が用いられている。この種の従来技術としては、例えば特許文献１に記載のものがある。本文献に開示された空気調和装置の圧縮機支持装置は、圧縮機下部を弾性支持する支持体を圧縮機の外径よりも内側に配置するとともに、圧縮機の上部と空気調和機の枠体とを別の弾性支持部材を介して接続することで、圧縮機に発生する振動を適確に吸収して、空気調和機の枠体への振動伝達、騒音増大を低減できるものである。
【先行技術文献】
【特許文献】
【０００３】
【特許文献１】特開平７−１１０１４４号公報
【発明の概要】
【発明が解決しようとする課題】
【０００４】
しかし、上記特許文献１に記載のものは、圧縮機の支持位置を上下に配することで、圧縮機運転中の振動を抑えるような構造とすることができるものの、特に圧縮機上部の支持位置に関しては、空気調和機の枠体が一般的には薄肉鋼板等の板材で構成されることから、圧縮機上部に配した弾性支持部材と比較して十分な支持剛性を得ることが困難である。このような場合には弾性支持部材と同様に枠体が振動してしまうことになるため、十分な防振効果、騒音低減効果を得られにくいという課題がある。
【０００５】
また、従来から用いられている圧縮機の支持方法として、圧縮機下部を複数個の防振ゴム等の弾性支持部材を用いて、圧縮機下部の外周部で支持するといった方法がある。この方法において振動低減効果を大きくするためには、弾性支持部材を柔らかくする手段が安易に考えられるものの、圧縮機の自重によってこの弾性支持部材がつぶれない程度にする必要があるため、弾性支持部材を柔らかくする程度には限界がある。
【０００６】
そこで、本発明は十分な振動騒音低減を達成することができ、取付け容易な防振支持部材を備えた室外機を提供することを目的とする。
【課題を解決するための手段】
【０００７】
上記目的を達成するため本発明は、冷媒を圧縮する圧縮機構部と、該圧縮機構部を駆動する駆動部とを有する圧縮機を内部に備えた空気調和機の室外機において、前記圧縮機の下部を支持する振動防止部材を複数個備え、そのうち一つが前記圧縮機の回転軸に対応する位置に配置され、その他の前記振動防止部材は前記圧縮機の回転軸の外周側に対応する位置に配置されることを特徴とする。
【０００８】
また、上記構成において、底部に取付けられ、上側に突出する上側突出部を有する底面ベースを備え、前記回転軸の外周側に対応する位置に配置された前記振動防止部材は、前記突出部が差し込まれる穴が形成され、該穴に前記底面ベースの前記上側突出部が挿入されることで前記圧縮機が支持されるとともに、前記圧縮機の底部には下側に突出する下側突出部を有し、前記回転軸に対応する位置に配置された前記振動防止部材には、この突出部が差し込まれる穴が形成され、該穴に前記圧縮機の前記下側突出部が挿入されることで前記圧縮機が支持されることが望ましい。
【０００９】
さらに上記構成において、前記圧縮機の前記回転軸に対応する位置に配置される前記振動防止部材は、上下方向の一部において外径が小さい部位を有し、該外形が小さい部位が前記底面ベースに開けた穴に挿入されることで当該振動防止部材が前記底面ベースに固定されることが望ましい。
【００１０】
さらに上記構成において外周側の少なくとも一面はねじ等の取り外しによって開閉可能に構成され、前記回転軸の外周側に対応する位置に配置される前記振動防止部材は、開閉可能に構成された室外機の一面側に位置することが望ましい。
【発明の効果】
【００１１】
本発明によれば、十分な振動騒音低減を達成することができ、取付け容易な防振支持部材を備えた室外機を提供することが可能となる。本発明のその他の構成、作用、効果については以下の実施例において詳細に説明する。
【図面の簡単な説明】
【００１２】
【図１】実施例１の空気調和機の室外機を示す図である。
【図２】実施例１の室外機の圧縮機支持部の詳細を示す図である。
【図３】実施例１の室外機の上面図である。
【図４】本発明に拠らない空気調和機の室外機を示す上面図である。
【図５】実施例２における防振支持部材の構成を示す図である。
【発明を実施するための形態】
【００１３】
以下、本発明の空気調和機の室外機の具体的な実施例を、図面に基づいて説明する。なお、各図において同一符号を付した部分は同一部分を示している。
【実施例１】
【００１４】
図１は本発明の実施例１の空気調和機の室外機を示す図である。  
本実施例の室外機１０１の筐体内には冷媒を圧縮する圧縮機構部と、圧縮機構部を駆動するモータ等の駆動部とを有する圧縮機１０２が設置される。また外周側に冷媒と空気との熱交換を行う熱交換器１０３と、この熱交換器１０３に送風を行うための送風機１０５が収納されている。室外機１０１には制御装置等の電気部品を収納した箱１０４が備えられており、この室外機１０１が図示しない室内機と接続されることにより冷凍サイクルが構成される。
【００１５】
圧縮機１０２は下部において足部１０２ａを有し、この足部１０２ａがゴム等で構成された防振支持部材１および２を介して室外機１０１の底面ベース１０１ａ上に設置されている。
【００１６】
図２は本実施例の室外機１０１の圧縮機支持部を詳細に示した上面図ならびに側面図である。本実施例の室外機１０１は圧縮機１０２の下部を支持する振動防止部材（１、２）を複数個備え、そのうち振動防止部材２が圧縮機１０２の回転軸に対応する位置に配置され、その他の前記振動防止部材１は圧縮機１０２の回転軸の外周側に対応する位置に配置される。
【００１７】
本発明者らは鋭意検討の末、このように構成することにより圧縮機１０２の自重を支えながら圧縮機１０２の振動を効率良く吸収し、振動騒音の低減が可能である室外機１０１を得ることができることを見出したものである。
【００１８】
また室外機１０１は底部に取付けられ、上側に突出する上側突出部１０３を有する底面ベース１０１ａを備え、圧縮機１０２の回転軸の外周側に対応する位置に配置された振動防止部材１は、上側突出部１０３が差し込まれる穴が形成される、この穴に底面ベース１０１ａの上側突出部１０３が挿入されることで圧縮機１０２が支持される。
【００１９】
また圧縮機１０２の底部には下側に突出する位置決め用の下側突出部１０４を設けており、回転軸に対応する位置に配置された振動防止部材２には、下側突出部１０４が差し込まれる穴が形成される。この穴に下側突出部１０４が挿入されることで圧縮機１０２が支持される。
【００２０】
このような構造とすることで、位置決めを容易とすることができると同時に、突出部３および突出部４にねじを有する構造とすることで、これにナット５等の拘束手段を取付けることで、輸送時の振動による圧縮機の抜け防止を図ることが可能である。
【００２１】
また、図３は本実施例の室外機１０１の上面図である。一般に、空気調和機の室外機１０１は、熱交換効率を最大化するため、筐体表面の数面を熱交換器１０３が露出した状態で配されている。また外周側の１面を筐体内部に配された機器のメンテナンス用に開閉可能な構成となっている。このため、板金等で構成されたパネル１０６をねじ等で固定する構造となっている。
【００２２】
さらに、室外機１０１の筐体内部は圧縮機１０２のほか、配管類やその他タンク類が点線部１０７に配されており、近年の小型軽量化設計による高密度化に伴い、製品組立時やメンテナンス時に工具等を自由に使えるスペースが減少し、作業を困難にしている。特に圧縮機１０２は駆動部であり、場合によっては取り外して交換等することもあるため、防振支持部の取り外しが容易であることも必要である。
【００２３】
そこで本実施例の室外機１０１は外周側の少なくとも一面がねじ等の取り外しによって開閉可能に構成され、回転軸の外周側に対応する位置に配置される振動防止部材１は、開閉可能に構成された室外機の一面側に位置するようにしたものである。つまりパネル１０６側に配置するようにしている。
【００２４】
これにより、圧縮機の外周部に配された支持部材１を筐体の開閉可能な面側に配置することで、メンテナンス時、または製品組立て時の圧縮機１０２の着脱を容易にすることが可能である。
【００２５】
一方で、図４は本発明に拠らない空気調和機の室外機の上面図である。圧縮機の外周部の複数点のみで圧縮機を支持した場合、室外機筐体の開閉可能な面から見て、いくつかの支持部材が圧縮機１０２の背面に位置することとなり、製品組立て時やメンテナンス時の作業性が非常に悪くなってしまう。
【実施例２】
【００２６】
図５は、図１で示した振動防止部材２の第２の実施形態を示している。つまり圧縮機１０２の回転軸に対応する位置に配置される振動防止部材２は上下方向の一部において外径が小さい部位（溝６）を有し、該外形が小さい部位（溝６）が底面ベース１０１ａに開けた穴に挿入されることで振動防止部材２が底面ベース１０１ａに固定される。
【００２７】
この溝６に室外機筐体の底面ベース１０１ａに開けた穴を勘合させることで、前記のような突起部４を圧縮機１０２の底部に有さなくとも、支持部材２を固定することができる。また、圧縮機１０２と支持部材２が接する面を、圧縮機の底面形状に合わせた形状とすることで、圧縮機の振動を効率よく吸収することが可能である。
【符号の説明】
【００２８】
１  圧縮機外周側の防振支持部材
２  圧縮機回転軸上の防振支持部材
３  上側突出部
４  下側突出部
５  ナット
６  溝部
１０１  キャビネット
１０１ａ  ベース部
１０２  圧縮機
１０２ａ  圧縮機の足部
１０３  熱交換器
１０４  電機部品収納箱
１０５  送風機
１０６  開閉部パネル
１０７  配管等のスペース
【図１】
2015203517.tif 000003
【図２】
2015203517.tif 000004
【図３】
2015203517.tif 000005
【図４】
2015203517.tif 000006
【図５】
2015203517.tif 000007